(57)【要約】      （修正有）【課題】付加価値を有し、耐性があり、入場者の情報管理を可能とする入場記念チケットの製造方法を提供すること。【解決手段】溶融樹脂を押出機より押し出し、凹凸溝を有するロールと平滑ロールにて、シートの一面にロールの流れ方向と平行に凹凸模様を形成し、もう一面に平滑面を形成し、ウェブ状レンチキュラレンズシートを作成する工程と、前記ウェブ状レンチキュラレンズシートを流れ方向と垂直に断裁して、枚葉状レンチキュラレンズシートを作成する工程と、前記枚葉状レンチキュラレンズシートを、流れ方向と垂直に凹凸模様を配して、枚葉印刷機にて前記枚葉状レンチキュラレンズシートの平滑面に印刷する工程と、前記枚葉状レンチキュラレンズシート平滑面の印刷面と合成紙とを貼り合せる工程とを有することを特徴とする。【選択図】図１
2004188838.tif 000002
【特許請求の範囲】
【請求項１】
レンチキュラレンズシートと合成紙とを貼り合せてなる入場記念チケットの製造方法であって、
溶融樹脂を押出機より押し出し、凹凸溝を有するロールと平滑ロールにて、シートの一面にロールの流れ方向と平行に凹凸模様を形成し、もう一面に平滑面を形成し、ウェブ状レンチキュラレンズシートを作成する工程と、
前記ウェブ状レンチキュラレンズシートを流れ方向と垂直に断裁して、枚葉状レンチキュラレンズシートを作成する工程と、
前記枚葉状レンチキュラレンズシートを、流れ方向と垂直に凹凸模様を配して、枚葉印刷機にて前記枚葉状レンチキュラレンズシートの平滑面に印刷する工程と、
前記枚葉状レンチキュラレンズシート平滑面の印刷面と合成紙とを貼り合せる工程と、
とを少なくとも有することを特徴とする入場記念チケットの製造方法。
【請求項２】
前記印刷は紫外線硬化型インキを用い、紫外線照射によりインキを定着させることを特徴とする請求項１記載の入場記念チケットの製造方法。
【発明の詳細な説明】
【０００１】
【発明の属する技術分野】
本発明は遊園地や公園、記念館などの入場記念チケットの製造方法に関し、特には付加価値をもつチケットであり、かつ入退場などの情報管理を可能とする入場記念チケットの製造方法に関する。
【０００２】
【従来の技術】
従来、上記のような遊園地や公園、記念館では、入場者に入場料等と引き換えに紙製のチケットを発行し、入場時間などを記録した際、入場時チケットに印字したり、入場時に一部を切り取ったり、退場時に回収するなどして、入場者数、入退場の時刻、中にいた時間などの情報管理などを行なっている。
【０００３】
しかしながら、これらの紙製のチケットは、表面は文字だけであったり、カラー印刷があったとしてもこれら遊園地や公園、記念館の外観の写真やポスター等の他の広告と同じ絵であったりなど、入場者として特に付加価値を感じるものではなかった。
【０００４】
そして退場時に回収する場合などでは上記のようなことから廃棄してしまうこともあるため回収率が悪い。たとえ回収できたとしても紙製のチケットであるため、折り曲げ、破れ、汚れ、濡れ、しわ等に対する耐性が低いものであるので、回収できても管理情報の読み出しが困難となるという問題点があった。
【０００５】
【発明が解決しようとする課題】
本発明はこのような問題点を解決するためになされたものであり、その課題とするところは、付加価値を有し、耐性があり、入場者の情報管理を可能とする入場記念チケットの製造方法を提供することにある。
【０００６】
【課題を解決するための手段】
本発明はこの課題を解決するため、すなわち請求項１記載の発明は、レンチキュラレンズシートと合成紙とを貼り合せてなる入場記念チケットの製造方法であって、溶融樹脂を押出機より押し出し、凹凸溝を有するロールと平滑ロールにて、シートの一面にロールの流れ方向と平行に凹凸模様を形成し、もう一面に平滑面を形成し、ウェブ状レンチキュラレンズシートを作成する工程と、前記ウェブ状レンチキュラレンズシートを流れ方向と垂直に断裁して、枚葉状レンチキュラレンズシートを作成する工程と、前記枚葉状レンチキュラレンズシートを、流れ方向と垂直に凹凸模様を配して、枚葉印刷機にて前記枚葉状レンチキュラレンズシートの平滑面に印刷する工程と、前記枚葉状レンチキュラレンズシート平滑面の印刷面と合成紙とを貼り合せる工程と、とを少なくとも有することを特徴とする入場記念チケットの製造方法である。
【０００７】
本発明はこの手段により、レンチキュラレンズシートとその平滑面に設けられた画像印刷層により、立体視可能な画像や見る角度により変化する画像となりカラーコピー等の偽造物との対比が目視により容易に可能となる入場チケットを、ウェブ状として連続押出形成し、枚葉状に切断することで、印刷する前の工程を１ラインで製造し、ここで流れ方向と平行に凹凸模様を有するシートを、機械に対して搬送する方向を９０％回転し、枚葉印刷機に流れ方向と垂直に凹凸模様を配することで印刷のズレの影響を少なくすることが可能となる。
【０００８】
また、請求項２記載の発明は、前記印刷は紫外線硬化型インキを用い、紫外線照射によりインキを定着させることを特徴とする請求項１記載の入場記念チケットの製造方法である。
【０００９】
本発明はこの方法により、レンチキュラレンズシートに熱を加えることなく直接印刷が可能となる。よって加熱になどによる変形などなく印刷することが可能となり、さらに画像印刷に重ねて全面に高濃度に白色反射印刷層を設ける場合であっても、溶剤を使わないのでクラック等の問題が発生せずに印刷することが可能となる。さらにインキ皮膜が比較的柔軟なものとなるので、好適に切断、積層等の後加工をすることが可能となる。
【００１０】
【発明の実施の形態】
以下、本発明を図面に基づき詳細に説明する。
図１に本発明における入場記念チケットの断面の構造の概略を示す。レンチキュラレンズシート１の表面に連続凹凸面を設け、裏面に平滑面を設け、裏面に画像印刷層２を設け、これに接着剤層３を介して合成紙４を貼りつけてなる。
【００１１】
本発明におけるレンチキュラレンズシートに用いる樹脂としては、グリゴール変性ポリエチレンテレフタレートを８〜１２％配合した非結晶性ポリエチレンテレフタレートが挙げられる。前記非結晶性ポリエチレンテレフタレートとしては１，４−シクロヘキサンジメタノール（以下ＣＨＤＭとする）変性ポリエチレンテレフタレートが挙げられるが、とくにこれらに限定するものではない。
【００１２】
本発明における合成紙としては、ポリプロピレン樹脂を主成分としたものがしなやかさと強さを共存したものとして挙げられる。例えば「ユポ」（ＹＵＰＯ、三菱化学、王子製紙制）が好適だが、特にこれに限定するものではない。
【００１３】
図２に本発明における入場記念チケットの製造工程の概略を示す。図示しない押出機に溶融混練された樹脂をＴ−ダイ４よりシート状に押出し、凹凸溝を有するロール５と鏡面ロール６とによりウエブ状レンチキュラレンズシート７として成形され、これをガイドロール８、トリミング装置９、ピンチロール１０、により導き、断裁機１１より断裁して枚葉状レンチキュラレンズシート１２とする。
【００１４】
本発明における溶融樹脂を押し出す押出機としては、従来よりあるものとして樹脂投入口となるホッパー、溶融混練しつつ押出すスクリュー、シート状に押出すためのＴ−ダイとからなるものが好適に用いられるが、特にこれに限定するものではなく、適用可能である。
【００１５】
本発明における凹凸溝を形成するロール５としては、レンチキュラーレンズの凹凸部が設けられるように、円周上に回転方向に平行に設けられたものを用い、鏡面ロール６としては、均一な面を設けたものが用いられる。この２つのロールの間隔をシートの厚みに調整し、連続して押出成形することで、ウエブ状レンチキュラレンズシートを得る。
【００１６】
前記ウエブ状レンチキュラレンズシート７をガイドロール８、トリミング装置９、ピンチロール１０等を通し、断裁機１１にて流れ方向と垂直に所定の間隔で断裁することで枚葉状レンチキュラレンズシート１２を得る。
【００１７】
以上のようにして得た枚葉状レンチキュラレンズシートを、通常のオフセット枚葉印刷機により、流れ方向に垂直に凹凸模様を配して、紫外線硬化型インキで４色印刷を行ない紫外線照射によりインキを定着させる。レンチキュラレンズシートにおいて、画像のずれによる目視に対する影響は凹凸模様に対して垂直方向が影響が大きく、平行方向については影響が少ない。印刷に際してシートは印刷機の流れ方向と垂直方向に伸びやすい。このため、レンチキュラレンズシートの凹凸模様を印刷機の流れ方向と垂直にすることで、このシートの伸びの影響を低減することが可能となる。また、シート自体は凹凸模様と平行な方向に曲げが容易であるため、凹凸面への負荷を低減して枚葉状シートに印刷することが可能となる。
【００１８】
以上のようにして得た直接印刷したレンチキュラレンズの平滑面の印刷面に合成紙を貼り合せる。貼り合せるには各種合成紙で推奨される接着剤を用いるのが好適であるが、特にこれに限定するものではなく、適用可能である。
【００１９】
合成紙を貼り合せた後、または貼り合せ前後に印刷等適宜施し、断裁して入場記念チケットとする。この後に適用する機械により読み取り可能な可視情報（バーコードなど）は感熱転写印刷等により設けるものであっても良い。
【００２０】
【発明の効果】
以上に示したように本発明の請求項１記載の発明により、レンチキュラレンズシートとその平滑面に設けられた画像印刷層により、立体視可能な画像や見る角度により変化する画像となりカラーコピー等の偽造物との対比が目視により容易に可能となる入場チケットを、ウェブ状として連続押出形成し、枚葉状に切断することで、印刷する前の工程を１ラインで製造し、ここで流れ方向と平行に凹凸模様を有するシートを、機械に対して搬送する方向を９０％回転し、枚葉印刷機に流れ方向と垂直に凹凸模様を配することで印刷のズレの影響を少なくすることが可能となるという作用効果を奏する。
【００２１】
また請求項２記載の発明により、レンチキュラレンズシートに熱を加えることなく直接印刷が可能となる。よって加熱になどによる変形などなく印刷することが可能となり、さらに画像印刷に重ねて全面に高濃度に白色反射印刷層を設ける場合であっても、溶剤を使わないのでクラック等の問題が発生せずに印刷することが可能となる。さらにインキ皮膜が比較的柔軟なものとなるので、好適に切断、積層等の後加工をすることが可能となるという作用効果を奏する。
【図面の簡単な説明】
【図１】本発明における入場記念チケットの断面の構造の概略を示す説明図である。
【図２】本発明における入場記念チケットの製造工程の概略を示す説明図である。
【符号の説明】
１…レンチキュラレンズシート
２…画像層
３…接着剤層
４…合成紙
５…凹凸溝を形成するロール
６…鏡面ロール
７…ウェブ状レンチキュラレンズシート
８…ガイドルール
９…トリミング装置
１０…ピンチロール
１１…断裁機
１２…枚葉状レンチキュラレンズシート
【図１】
2004188838.tif 000003
【図２】
2004188838.tif 000004